(57)【特許請求の範囲】
【請求項１】
外周面にねじ部を有し、被設置構造物の荷重を受ける受け部材と、
該受け部材の下面に設けてあり、振動を吸収する特性を有し、且つ、粘着性を有し、且つ、設置面から剥がすことが可能であるマットと、
上記受け部材のねじ部と螺合して、該受け部材の外周側に設けてあり、回転されて、底面が上記マットの下面より下方の位置と、底面が上記マットの下面より上方の位置の間で上下に移動される環状の設置用ねじ部材とを有し、
使用前では、上記環状の設置用ねじ部材の底面が上記マットの下面より下方の位置にあり、使用時には、上記環状の設置用ねじ部材の底面が上記マットの下面より上方の位置にあり、該マットが設置面に粘着する構成としたことを特徴とした設置用台足装置。
【請求項２】
外周面にねじ部を有し、上面に凹部を有し、被設置構造物の荷重を受ける受け部材と、
該受け部材の下面に設けてあり、振動を吸収する特性を有し、且つ、粘着性を有し、且つ、設置面から剥がすことが可能であるマットと、
上記受け部材のねじ部と螺合して、該受け部材の外周側に設けてあり、回転されて、底面が上記マットの下面より下方の位置と、底面が上記マットの下面より上方の位置の間で上下に移動される環状の設置用ねじ部材と、
中心孔を有しており、上記受け部材の上面の凹部に嵌合してある中間マットと、
該中心孔に嵌合して該中間マットに載って支持されており、被設置構造物に固定される脚部材とを有し、
使用前では、上記環状の設置用ねじ部材の底面が上記マットの下面より下方の位置にあり、使用時には、上記環状の設置用ねじ部材の底面が上記マットの下面より上方の位置にあり、該マットが設置面に粘着する構成としたことを特徴とした設置用台足装置。
【請求項３】
請求項１又は請求項２記載の設置用台足装置において、
上記マットは、該マットの厚さより薄くて、硬い材質製の潰れ防止部材を有する構成としたことを特徴とする設置用台足装置。
【請求項４】
上面に凹部を有し、被設置構造物の荷重を受ける受け体と、
中心孔を有しており、上記受け体の上面の凹部に嵌合してあるマットと、
該中心孔に嵌合して該マットに載って支持されており、被設置構造物に固定される脚部材とを有し、
上記受け体は、設置面のうち上記被設置構造物が設置される部分に嵌合して、該受け体を上記設置面に固定する固定手段を有する構成としたことを特徴とした設置用台足装置。
【請求項５】
底面に、請求項１乃至請求項４のうちいずれか一項記載の設置用台足装置を備えた構成としたことを特徴とする被設置構造物。
【発明の詳細な説明】
【０００１】
【発明の属する技術分野】
本発明は設置用台足装置に係り、ラック及びキャビネット等の電子機器収容構造物を建物の床上に設置する設置用台足装置に関する。
【０００２】
ラックを床上に設置する設置用台足装置は、ラックを設置する作業がし易い構造、及び地震対策が施されている構造であることが望ましい。
【０００３】
【従来の技術】
図１（Ａ），（Ｂ）は従来の設置用台足装置１０を示す。この設置用台足装置１０は、受け部材１１と脚部材１５とよりなる構成である。受け部材１１は、皿形状を有し、上面に、環状の壁部１２によって囲まれた凹部１３を有し、建物の床面３０上に置かれる。環状の壁部１２は、脚部材１５が受け部材１１から外れることを防止するために形成してある。脚部材１５は、上から順に、ボルト部１６、鍔部１７、脚部１８を有する。ボルト部１６には、緩み止め用のナット１９が螺合してある。
【０００４】
ラック２０は、底面の四隅にナット２１が溶接されて固定してある。
【０００５】
脚部材１５のボルト部１６がナット２１に螺合してあり、建物の床面３０上の受け部材１１が脚部１８を受けている。
【０００６】
設置用台足装置１０は、ラック２０の各コーナ部毎に一つづつ、計４つ使用される。
【０００７】
ラック２０は次のようにして建物の床面３０上に設置される。先ず、底面に設けてあるキャスター（図示せず）を利用してラック２０を設置する場所に移動させ、ジャッキ（図示せず）を使用してラック２０を押し上げ、脚部材１５のボルト部１６をナット２１に螺合させ、受け部材１１を床面３０上に置き、ジャッキ（図示せず）を操作していラック２０を下げ、脚部１８が受け部材１１に押し当った状態とし、最後に、工具（図示せず）を鍔部１７に嵌合させて脚部材１５を適宜回転させて、高さを調整する。
【０００８】
【発明が解決しようとする課題】
ラック２０を安定に設置するためには、四つの設置用台足装置１０について、脚部１８は図１（Ｂ）に示すように凹部１３の中央に位置していることが必要である。しかし、脚部１８を凹部１３の中央に位置を定める機構が無いため、四つの設置用台足装置１０の全部について、脚部１８を凹部１３の中央に位置を定めるのに手間のかかる作業が必要であった。
【０００９】
また、地震のときには、脚部１８を凹部１３内で滑って動くことによって地震の振動がラック２０に伝わることを防ぐ構成となっているけれども、耐震性は十分ではなかった。
【００１０】
また、脚部１８が拘束されていないため、地震のときにラック２０が倒れる虞れがあった。
【００１１】
また、脚部１８が凹部１３内で滑って動くことによって、ラック２０が大きく動いた場合には、床から出てラック２０にまで延びているケーブルが延びて切れたり、ラック２０が隣のラックとぶつかったりする不都合が起きる危険もあった。
【００１２】
また、ラック２０が動いた場合には、脚部１８を凹部１３の中心に戻す面倒な調整作業が必要であった。
【００１３】
そこで、本発明は、上記課題を解決した設置用台足装置を提供することを目的とする。
【００１４】
【課題を解決するための手段】
請求項１の発明は、外周面にねじ部を有し、被設置構造物の荷重を受ける受け部材と、
該受け部材の下面に設けてあり、振動を吸収する特性を有し、且つ、粘着性を有し、且つ、設置面から剥がすことが可能であるマットと、
上記受け部材のねじ部と螺合して、該受け部材の外周側に設けてあり、回転されて、底面が上記マットの下面より下方の位置と、底面が上記マットの下面より上方の位置の間で上下に移動される環状の設置用ねじ部材とを有し、
使用前では、上記環状の設置用ねじ部材の底面が上記マットの下面より下方の位置にあり、使用時には、上記環状の設置用ねじ部材の底面が上記マットの下面より上方の位置にあり、該マットが設置面に粘着する構成としたものである。
【００１５】
マットが設置面に粘着することによって、設置面に孔をあけずに、被設置構造物を設置面に固定することが可能である。また、マットが設置面に粘着することによって、地震のときに被設置構造物が設置面上を動かないようにすること、及び被設置構造物が倒れないようにすることが可能である。
【００１６】
環状の設置用ねじ部材を回転させてねじの機構で環状の設置用ねじ部材が上下に移動する構成であるため、環状の設置用ねじ部材が設置面に当っており、マットが設置面から浮いている状態、及び、マットが設置面に押し当っている状態を簡単に得ることが可能である。よって、被設置構造物を設置する作業がし易い。
【００１７】
マットが設置面から剥がすことが可能である構成であり、且つ、環状の設置用ねじ部材を回転させてねじの機構で環状の設置用ねじ部材が下方に移動され、このときに、受け部材が設置面から相対的に押し上げられて、マットが設置面から剥がされるので、被設置構造物の設置位置の変更が容易である。
【００１８】
地震のときの床から受け部材に伝わる振動をマットが吸収して、受け部材の振動を低減することが出来る。よって、地震のときの被設置構造物の振動を低減させることが可能である。
【００１９】
請求項２の発明は、外周面にねじ部を有し、上面に凹部を有し、被設置構造物の荷重を受ける受け部材と、
該受け部材の下面に設けてあり、振動を吸収する特性を有し、且つ、粘着性を有し、且つ、設置面から剥がすことが可能であるマットと、
上記受け部材のねじ部と螺合して、該受け部材の外周側に設けてあり、回転されて、底面が上記マットの下面より下方の位置と、底面が上記マットの下面より上方の位置の間で上下に移動される環状の設置用ねじ部材と、
中心孔を有しており、上記受け部材の上面の凹部に嵌合してある中間マットと、
該中心孔に嵌合して該中間マットに載って支持されており、被設置構造物に固定される脚部材とを有し、
使用前では、上記環状の設置用ねじ部材の底面が上記マットの下面より下方の位置にあり、使用時には、上記環状の設置用ねじ部材の底面が上記マットの下面より上方の位置にあり、該マットが設置面に粘着する構成としたものである。
【００２０】
マットが設置面に粘着することによって、設置面に孔をあけずに、被設置構造物を設置面に固定することが可能である。また、マットが設置面に粘着することによって、地震のときに被設置構造物が設置面上を動かないようにすること、及び被設置構造物が倒れないようにすることが可能である。
【００２１】
環状の設置用ねじ部材を回転させてねじの機構で環状の設置用ねじ部材が上下に移動する構成であるため、環状の設置用ねじ部材が設置面に当っており、マットが設置面から浮いている状態、及び、マットが設置面に押し当っている状態を簡単に得ることが可能である。よって、被設置構造物を設置する作業がし易い。
【００２２】
マットが設置面から剥がすことが可能である構成であり、且つ、環状の設置用ねじ部材を回転させてねじの機構で環状の設置用ねじ部材が下方に移動され、このときに、受け部材が設置面から相対的に押し上げられて、マットが設置面から剥がされるので、被設置構造物の設置位置の変更が容易である。
【００２３】
更には、受け部材の上面の凹部に嵌合してある中間マットの中心孔に脚部材が嵌合してあるため、脚部材は自動的に受け部材の中心に位置規制され、脚部材が受け部材の中心に位置するように規制する調整作業は必要でなくなる。よって、被設置構造物を設置する作業は更にし易くなる。
【００２４】
地震のときの床から受け部材に伝わる振動をマットが吸収し、更には、受け部材から脚部材に伝わる振動を中間マットが吸収する。よって、地震のときの被設置構造物の振動を低減させることが可能である。
【００２５】
請求項３の発明は、請求項１又は請求項２記載の設置用台足装置において、
上記マットは、該マットの厚さより薄くて、硬い材質製の潰れ防止部材を有する構成としたものである。
【００２６】
潰れ防止部材は、特に被設置構造物の荷重が大きくてマットが予定以上に圧縮されるときに、マットが潰れ防止部材の厚さ以下には薄く潰れないようにする。即ち、マットが振動吸収特性が異常に低下するほどに過度に潰れることが起きない。
【００２７】
請求項４の発明は、上面に凹部を有し、被設置構造物の荷重を受ける受け体と、
中心孔を有しており、上記受け体の上面の凹部に嵌合してあるマットと、
該中心孔に嵌合して該マットに載って支持されており、被設置構造物に固定される脚部材とを有し、
上記受け体は、設置面のうち上記被設置構造物が設置される部分に嵌合して、該受け体を上記設置面に固定する固定手段を有する構成としたものである。
【００２８】
固定手段は、受け体を、設置面のうち被設置構造物が設置される部分に固定する。設置面のうち被設置構造物が設置される場所が予め決まっている場合に有用である。
【００２９】
更には、受け体の上面の凹部に嵌合してあるマットの中心孔に脚部材が嵌合してあるため、脚部材は自動的に受け部材の中心に位置規制され、脚部材が受け体の中心に位置するように規制する調整作業は必要でなくなる。よって、被設置構造物を設置する作業は更にし易くなる。
【００３０】
地震のときの床から受け体部材を介して脚部材に伝わる振動をマットが吸収する。よって、地震のときの被設置構造物の振動を低減させることが可能である。
【００３１】
請求項５の発明は、底面に、請求項１乃至請求項４のうちいずれか一項記載の設置用台足装置を備えた構成としたものである。
【００３２】
被設置構造物は、簡単な作業で、且つ、優れた耐震性を有する状態で設置されるようになる。
【００３３】
【発明の実施の形態】
図２（Ａ），（Ｂ）及び図３は本発明の一実施例になる設置用台足装置５０を示す。図２（Ｂ）は、図２（Ａ）中、Ｂ−Ｂ線に沿う断面図である。図２（Ａ），（Ｂ）は、使用されている状態、即ち、ラックが設置されている状態の設置用台足装置５０を示す。図３は、設置用台足装置５０を分解して示す。
【００３４】
設置用台足装置５０は、下から順に、マット５１と、設置用ねじ部材５２と、受け部材５３と、中間マット５４と、中間受け部材５５と、脚部材５６と、緩み防止用ナット５７とを有する構成である。
【００３５】
受け部材５３は、背の低い円柱形状であり、上面に凹部５３ａを有し、外周面にねじ部５３ｂを有する。５３ｃは凹部５３ａの底の面、５３ｄは面５３ｃから立ち上がっている環状の壁部である。
【００３６】
この受け部材５３の外周面のねじ部５３ｂに、環状の設置用ねじ部材５２の内周面のねじ部５２ｂが螺合してある。環状の設置用ねじ部材５２は、受け部材５３の略半分の高さ寸法ｈ１を有し、環状の底面５２ｂを有し、底面５２ｂと外周面５２ｃとの間にテーパ面５２ｄを有する。外周面５２ｃに、工具が嵌合する凹部５２ｅを有し、工具を使用して回転される。時計方向Ｃに回転されて、下方に移動し、反時計方向ＣＣに回転されて上方に移動する。設置用台足装置５０をラック２０に取り付ける前の状態及びラック２０を設置する以前の状態では、図５（Ａ）、（Ｂ）に示すように、設置用ねじ部材５２の底面５２ｂは、マット５１の下面５１ａより下側に位置している。ラック２０が仮に設置された状態では、マット５１が床面３０から浮いているようにするためである。なお、設置用ねじ部材５２の高さ寸法ｈ１が大きい理由は、底面５２ｂがマット５１の下面より下側に位置している状態でも、ねじ部５２ｂとねじ部５３ｂとが十分の数のねじ山で嵌合しているようにするためである。
【００３７】
受け部材５３の下面には、円板状のマット５１が貼り付けてある。マット５１は、主要成分がポリウレタン樹脂であるゴム質のものであり、振動を吸収する特性を有し、且つ強い粘着性を有し、力を加え続けると剥がすことが可能であり、剥がした後もマット５１の下面５１ａは依然として粘着性を有している。マット５１は受け部材５３の下面と略同じ寸法形状であり、図４に示すように、所定の厚さｔ１を有する。マット５１は、震度７程度の地震、即ち、１０００Gal程度の加速度に対応することが可能である。
【００３８】
このマット５１の中央の開口５１ｂには、潰れ防止部材５８が嵌合してある。潰れ防止部材５８は、円板形状であり、厚さがｔ２であり、アクリル樹脂等の硬い材質製である。厚さｔ２は厚さｔ１より少し薄い。潰れ防止部材５８は、特にラック２０の荷重が大きくてマット５１がラック２０の荷重を受けて予定以上に圧縮されるときに、ラック２０の荷重を受けて、マット５１が厚さｔ２以下には薄く潰れないようにする、即ち、振動吸収特性が異常に低下するほどに過度に潰れないようにする役割を有する。
【００３９】
マット５１は、ラック２０が設置された状態では下面５１ａが床面３０に粘着しており、地震のときに受け部材５３が動かないようにする。地震のときに受け部材５３が床面３０上で横に動くこと、及び、床面３０から浮くことが起きないようにする。また、マット５１は、地震のときの床面３０の振動を吸収する役割をする。
【００４０】
受け部材５３の上面の凹部５３ａ内に、中間マット５４が、周囲に隙間の無い状態で嵌合して、且つ凹部５３ａの底の面５３ｃに当接して設けてある。中間マット５４は、背の低い円柱形状であり、中央に貫通孔５４ａを有する。また、中間マット５４は、主要成分がポリウレタン樹脂であるゴム質のものであり、振動を吸収する特性を有する。
【００４１】
中間マット５４の上側に、中間受け部材５５が設けてある。中間受け部材５５は、円板部５５ａと、円板部５５ａの中央からの下方に突き出た円筒部５５ｂとよりなる。円筒部５５ｂが中間マット５４の貫通孔５４ａに隙間の無い状態で嵌合してある。円板部５５ａは、受け部材５３と等しい直径を有しており、中間マット５４の上面に載っている。
【００４２】
脚部材５６は、鍔部５６ａと、鍔部５６ａより上方に突き出ているボルト部５６ａと、鍔部５６ａより下方に突き出ている脚部５１ｃとよりなる。
【００４３】
鍔部５６ａは、小判形状であり、後述するラック２０の高さを調整するときに工具が嵌合され、工具を操作することによって脚部材５１が回される。この鍔部５６ａは中間受け部材５５の円板部５５ａの上面に当接している。
【００４４】
ボルト部５６ａは、ラック２０の底面に固定してあるナット２１に螺合される。このボルト部５６ａには、緩み防止用ナット５７が螺合してある。
【００４５】
脚部５６ｃは、先端に半球形状部５６ｄを有し、中間受け部材５５の円筒部５５ｂに嵌合しており、半球形状部５６ｄは円筒部５５ｂの下端から突き出ている。
【００４６】
設置用台足装置５０が使用される前の状態では、図５（Ａ）に示すように、半球形状部５６ｄと受け部材５５の凹部５３ａの上面５３ｃとの間には隙間５９が存在している。
【００４７】
ここで、凹部５３ａの深さ寸法ａ１、中間マット５４の厚さ寸法ａ２、円筒部５５ｂの長さ寸法ａ３、脚部５１ｃの長さ寸法（図２中、円板部５５ａの下面の位置から脚部５１ｃの先端までの寸法）ａ４は、以下の関係にある。
【００４８】
図５（Ａ）に示す荷重がかかる前は、
ａ２＞ａ１、ａ４＞ａ２、ａ４＞ａ３
図２及び図５（Ｂ）〜（Ｄ）に示す荷重がかかった後は、
ａ２＞ａ１、ａ４＝ａ２、ａ４＞ａ３
とである。
【００４９】
よって、脚部材５６に下向きの荷重が作用すると、脚部材５６は中間受け部材５５と共に中間マット５４を圧縮させつつ下方に、半球形状部５６ｄが上面５３ｃに押し当たるまで変位する。設置用台足装置５０は、図２に示すように、半球形状部５６ｄが上面５３ｃに押し当っており、中間マット５４が上面５３ｃと円板部５５ａとの間で圧縮されており、円板部５５ａと環状の壁部５３ｄとの間には、隙間６０が存在している。
【００５０】
また、凹部５３ａよって中間マット５４は受け部材５３の中央に位置規制されており、脚部材５６は中間マット５４及び中間受け部材５５によって位置を決められて、受け部材５３の中央に位置している。脚部材５６は、中間マット５４の径方向に弾性変形できる範囲内で、半球形状部５６ｄが上面５３ｃを滑って、受け部材５３の径方向に変位可能である。脚部材５６が受け部材５３の径方向に変位した場合には、中間マット５４に発生した復元弾性力によって、受け部材５３の中央の位置に押し戻される。
【００５１】
上記構成の設置用台足装置５０は、震度７以上の地震、即ち、１０００Galの加速度に対応することが可能である。
【００５２】
次に、ラック２０を建物の床面３０上に設置するときの作業、及び、設置用台足装置５０の状態について、主に図５（Ａ）乃至（Ｄ）を参照して説明する。
【００５３】
必要に応じて設置用ねじ部材５２を時計方向Ｃに適宜回転させて底面５２ｂをマット５１の下面５１ａより下側に位置させ、且つ、マット５１の下面を覆う保護シートを剥離した設置用台足装置５０を用意する。
【００５４】
先ず、底面に設けてあるキャスター（図示せず）を利用してラック２０を設置する場所に移動させ、ジャッキ（図示せず）を使用してラック２０を押し上げ、図５（Ａ）に示すように、設置用台足装置５０のボルト部５６ａをナット２１に螺合させ、上記の設置用台足装置５０をラック２０の底の四隅に取り付ける。
【００５５】
次いで、ジャッキ（図示せず）を操作してラック２０を下げ、図５（Ｂ）に示すように、設置用台足装置５０がラック２０を支える状態とする。環状の設置用ねじ部材５２が建物の床面３０に当接した状態となる。マット５１は床面３０から浮いている。この状態で、作業者はラック２０を適宜押して、環状の設置用ねじ部材５２を建物の床面３０上を適宜滑らせて、ラック２０を動かして、ラック２０の位置を調整して設置位置に位置させる。ここで、環状の設置用ねじ部材５２は底面５２ｂ側にテーパ面５２ｄを有しているため、設置用ねじ部材５２の建物の床面３０上の滑りは円滑であり、ラック２０の位置の調整は容易である。
【００５６】
次いで、工具を使用して環状の設置用ねじ部材５２を反時計方向ＣＣに回転させる。設置用ねじ部材５２は、床面３０上を滑りつつ反時計方向ＣＣに回転され、上方に変位し、受け部材５３等は下がって、図５（Ｃ）に示すように、マット５１が床面３０に押し付けられて床面３０に粘着された状態となる。
【００５７】
次いで、工具を鍔部５６ａに嵌合させ、工具を操作することによって脚部材５１を回転させ、ナット２１を上下に適宜移動させて、ラック２０の四隅の高さを調整する。ここで、鍔部５６ａは中間マット５４には接触していず、中間受け部材５５上で滑って回転するため、脚部材５１を確実に回転させることが可能である。
【００５８】
最後に、緩み防止用ナット５７を回して締めてラック２０の底面に押し当て、ナット２１と緩み防止用ナット５７とがダブルナットを形成して、ボルト部５６ａがナット２１に対して回転しないように固定する。図２は、緩み防止用ナット５７を締めた後の状態を示す。
【００５９】
次に、ラック２０が建物の床面３０上に設置された状態における設置用台足装置５０の機能について説明する。
【００６０】
設置用台足装置５０にはラック２０の重量がかかっており、図２に示すように、マット５１は圧縮された状態にあり、且つ、床面３０に押し付けられて下面５１ａが床面３０に粘着している。また、脚部５６ｃの下端の半球形状部５６ｄが上面５３ｃに押し当っており、中間マット５４が上面５３ｃと円板部５５ａとの間で圧縮されており、円板部５５ａと環状の壁部５３ｄとの間には、隙間６０が存在している。
【００６１】
設置用台足装置５０はマット５１が床面３０に粘着して床面３０に固定してある。また、脚部材５６は設置用台足装置５０の中央に位置規制されている。よって、ラック２０は床面３０に固定されている。
【００６２】
ここで、設置用台足装置５０の床面３０への固定は粘着力によっているため、固定のために床面３０に孔をあける等の作業は不要である。
【００６３】
地震が起きたときには、設置用台足装置５０は以下のように機能する。
【００６４】
設置用台足装置５０はマット５１が床面３０に粘着して床面３０に固定してあり、且つ、脚部材５６は中間マット５４によって設置用台足装置５０の中央に位置規制されているため、地震が起きても、ラック２０は中間マット５４が径方向に変形した分だけ動くにとどまり、床面３０に対して殆ど動かない。よって、ラック２０が隣のラックにぶつかったり、床から出てラック２０にまで延びているケーブルが切断する事故も起きない。よって、複数のラック２０は接近して設置することが可能である。
【００６５】
中間マット５４を径方向に弾性変形させて脚部材５６が受け部材５３内で移動した場合でも、地震がおさまった後に、中間マット５４が復元するときに、脚部材５６は元の位置に戻される。
【００６６】
また、受け部材５３がマット５１が床面３０に粘着してあり、中間マット５４が凹部５３ａ内に深く嵌合しており、円筒部５５ｂが中間マット５４の中心孔５４ａに深く嵌合しており、脚部５６ｃが円筒部５５ｂ内に深く嵌合しており、脚部材５６は倒れる方向には十分に拘束されている。よって、ラック２０は設置用台足装置５０によって倒れにくい状態で設置されている。よって、地震が起きたときに、ラック２０が倒れる事故は起きない。
【００６７】
床面３０からラック２０へ伝達される振動は、第１には、マット５１によって吸収され、第２には、中間マット５４によって吸収される。即ち、床面３０から受け部材５３へ伝達される振動がマット５１によって吸収され、受け部材５３の振動が低減される。また、受け部材５３から脚部材５６に伝達される振動が中間マット５４によって吸収され、脚部材５６の振動、即ち、ラック２０の振動が低減される。よって、ラック２０に搭載してある電子機器は地震から保護される。
【００６８】
ここで、ラック２０の荷重が大きい場合でも、潰れ防止部材５８が存在することによって、マット５１は潰れ防止部材５８の厚さｔ２以下には潰れず、十分な振動吸収効果を有している。
【００６９】
なお、中間マット５４を強い粘着性を有する構成としてもよい。
【００７０】
次に、ラック２０の設置位置を変更する場合の操作について説明する。
【００７１】
先ず、工具を使用して環状の設置用ねじ部材５２を時計方向Ｃに回転させる。設置用ねじ部材５２は時計方向Ｃに回転されつつ下方に変位し、底面５２ｂが床面３０上を滑りつつ回転され更に下方に変位し、受け部材５３等が床面３０から離れる方向の力を作用される。ここで、マット５１は力を加え続けると剥がすことが可能であるものである。よって、マット５１が、床面３０から剥離される（図５（Ｂ）参照）。
【００７２】
この状態で、設置用ねじ部材５２を床面３０を滑らせて、ラック２０を移動させて、新しい設置位置に移動させる。この位置で、再度、工具を使用して環状の設置用ねじ部材５２を反時計方向ＣＣに回転させ、設置用ねじ部材５２を上方に変位させて床面３０から離し、マット５１が床面３０に押し当たる。マット５１の面５１ａは床面３０から剥離された後も粘着性を有しているため、マット５１が床面３０に押し当たると、マット５１は床面３０に粘着した状態となる（図５（Ｃ）参照）。以上によって、ラック２０の設置位置が変更される。
【００７３】
次に、本発明の別の実施例になる設置用台足装置について説明する。図６及び図７は本発明の別の実施例になる設置用台足装置５０Ａを示す。この設置用台足装置５０Ａは、図２及び図３に示す設置用台足装置５０とは、床面へ固定する構造が相違するものであり、図６及び図７中、図２及び図３に示す構成部分と同じ構成部分には同じ符号を付し、その詳細な説明は省略する。
【００７４】
設置用台足装置５０Ａは、下から順に、受け皿部材７０と、受け部材５３と、中間マット５４と、中間受け部材５５と、脚部材５６と、緩み防止用ナット５７とを有する構成である。
【００７５】
受け皿部材７０は、受け皿本体７１と、この底面７１ａから下方に突き出しているボルト７２を有する。ボルト７２には、ナット７３が螺合される。ボルト７２及びナット７３が固定手段を構成する。
【００７６】
受け皿本体７１は、受け部材５３に対応した凹部７１ｂを有する。凹部７１ｂは、底面７１ａを有し、且つ、内周面にねじ部７１ｃを有する。受け部材５３は、凹部７１ｂ内にねじ込まれており、受け皿部材７０と一体となっている。受け部材５３と受け皿部材７０とが受け体７４を構成する。
【００７７】
受け体７４の凹部５３ａ内に、中間マット５４が嵌合してあり、中間マット５４の上側に中間受け部材５５が嵌合して載っており、更に、脚部材５６がその脚部５１ｃが中間受け部材５５に嵌合し、且つその鍔部５６ａが中間受け部材５５上に載った状態で設けてある。
【００７８】
上記の設置用台足装置５０Ａは、ラックを設置する建物の床構造が、床面３０に支持部材８１によって支えられているフリーアクセス床８０を構造であり、且つ、フリーアクセス床８０のうちラックを設置する場所に孔８０ａが形成してある構造である場合に適用される。
【００７９】
ラック２０はフリーアクセス床８０上に以下のようにして設置される。
【００８０】
先ず、キャスター（図示せず）を利用してラック２０を設置する場所に移動させ、ジャッキ（図示せず）を使用してラック２０を押し上げ、図５（Ａ）に示すと同様に設置用台足装置５０Ａのボルト部５６ａをナット２１に螺合させ、上記の設置用台足装置５０Ａをラック２０の底の四隅に取り付ける。ナット７３は外しておく。
【００８１】
次いで、ジャッキ（図示せず）を操作してラック２０を下げ、ボルト７２を孔８０ａに嵌合させ、受け体７４をフリーアクセス床８０上に支持させる。
【００８２】
フリーアクセス床８０の下面からボルト７２にナット７３を螺合させ、ナット７３を締めて、設置用台足装置５０Ａをフリーアクセス床８０に固定する。
【００８３】
次いで、前記の設置用台足装置５０の場合と同じく、工具を使用して脚部材５１を回転させ、ラック２０の四隅の高さを調整し、最後に、緩み防止用ナット５７を回して締める。
【００８４】
なお、地震が起きたときには、設置用台足装置５０Ａは以下のように機能する。
【００８５】
設置用台足装置５０Ａはボルト７２とナット７３によってフリーアクセス床８０に固定してあり、且つ、脚部材５６は中間マット５４によって設置用台足装置５０Ａの中央に位置規制されているため、地震が起きても、ラック２０は中間マット５４が径方向に変形した分だけ動くにとどまり、床面３０に対して殆ど動かない。また、フリーアクセス床８０からラック２０へ伝達される振動は、中間マット５４によって吸収される。
【００８６】
なお、受け部材５３と受け皿部材７０とが単一の部材よりなる構成としても良いのは勿論である。
【００８７】
なお、設置用台足装置５０、５０Ａは、キャビネットを床面に設置する場合にも使用可能である。また、設置する面は、建物の床面に限定されるものではない。
【００８８】
【発明の効果】
以上説明したように、請求項１の発明は、被設置構造物の荷重を受ける受け部材の下面に、振動を吸収する特性を有し、且つ、粘着性を有し、且つ、設置面から剥がすことが可能であるマットを有し、受け部材の周囲に、環状の設置用ねじ部材とを有し、使用前では、環状の設置用ねじ部材が下方の位置にあり、使用時には、設置用ねじ部材が上方の位置にあり、マットが設置面に粘着する構成としたものであるため、以下の効果を有する。
【００８９】
▲１▼  マットが設置面に粘着することによって、設置面に孔をあけずに、被設置構造物を設置面に固定することが出来る。また、マットが設置面に粘着することによって、地震のときに被設置構造物が設置面上を動かないようにすること、及び被設置構造物が倒れないようにすることが出来る。
【００９０】
▲２▼  環状の設置用ねじ部材を回転させてねじの機構で環状の設置用ねじ部材が上下に移動する構成であるため、環状の設置用ねじ部材が設置面に当っており、マットが設置面から浮いている状態、及び、マットが設置面に押し当っている状態を簡単に得ることが可能である。よって、被設置構造物を設置する作業を簡単に行うことが出来る。
【００９１】
▲３▼  マットが設置面から剥がすことが可能である構成であり、且つ、環状の設置用ねじ部材を回転させてねじの機構で環状の設置用ねじ部材が下方に移動され、このときに、受け部材が設置面から相対的に押し上げられて、マットが設置面から剥がされるので、被設置構造物の設置位置の変更が簡単に出来る。
【００９２】
▲４▼  地震のときの床から受け部材に伝わる振動をマットが吸収して、受け部材の振動を低減することが出来る。よって、地震のときに被設置構造物が受ける振動を低減させることが出来る。
【００９３】
請求項２の発明は、被設置構造物の荷重を受ける受け部材の下面に、振動を吸収する特性を有し、且つ、粘着性を有し、且つ、設置面から剥がすことが可能であるマットを有し、受け部材の周囲に、環状の設置用ねじ部材とを有する構成に加えて、受け部材の上面の凹部に嵌合してある中間マットと、中間マットの中心孔に嵌合して中間マットに載って支持されており、被設置構造物に固定される脚部材とを有し、使用前では、環状の設置用ねじ部材が下方の位置にあり、使用時には、設置用ねじ部材が上方の位置にあり、マットが設置面に粘着する構成としたものであるため、請求項１の発明の上記効果に加えて、以下の効果を有する。
【００９４】
▲１▼  受け部材の上面の凹部に嵌合してある中間マットの中心孔に脚部材が嵌合してあるため、脚部材は自動的に受け部材の中心に位置規制され、脚部材が受け部材の中心に位置するように規制する調整作業は必要でなくなる。よって、被設置構造物を設置する作業が更に簡単に行うことが出来る。
【００９５】
▲２▼  地震のときの床から受け部材に伝わる振動をマットが吸収し、更には、受け部材から脚部材に伝わる振動を中間マットが吸収する。よって、地震のときの被設置構造物の振動を低減させることが可能である。
【００９６】
請求項３の発明は、請求項１又は請求項２記載の設置用台足装置において、上記マットは、該マットの厚さより薄くて、硬い材質製の潰れ防止部材を有する構成としたものであるため、マットが潰れ防止部材の厚さ以下には薄く潰れないようになり、被設置構造物の荷重が大きい場合にも十分な振動吸収特性を効果を有することが出来る。
請求項４の発明は、上面に凹部を有し、被設置構造物の荷重を受ける受け体と、中心孔を有しており、上記受け体の上面の凹部に嵌合してあるマットと、該中心孔に嵌合して該マットに載って支持されており、被設置構造物に固定される脚部材とを有し、上記受け体は、設置面のうち上記被設置構造物が設置される部分に嵌合して、該受け体を上記設置面に固定する固定手段を有する構成としたものであるため、設置面のうち被設置構造物が設置される場所が予め決まっている場合に使用して有効である。また、受け体の上面の凹部に嵌合してあるマットの中心孔に脚部材が嵌合してあるため、脚部材は自動的に受け部材の中心に位置規制され、脚部材が受け体の中心に位置するように規制する調整作業は必要でなくなる。よって、被設置構造物を設置する作業は更にし易くなる。地震のときの床から受け体を介して脚部材に伝わる振動をマットが吸収する。よって、地震のときの被設置構造物の振動を低減させることが可能である。
【００９７】
請求項５の発明は、底面に、請求項１乃至請求項４のうちいずれか一項記載の設置用台足装置を備えた構成としたものであるため、被設置構造物を、簡単な作業で、且つ、優れた耐震性を有する状態で設置することが出来る。
【図面の簡単な説明】
【図１】従来の設置用台足装置を示す図である。
【図２】本発明の一実施例になる設置用台足装置を示す図である。
【図３】図２（Ａ）の設置用台足装置の分解斜視図である。
【図４】マットを示す図である。
【図５】ラックを設置するときの設置用台足の状態を示す図である。
【図６】本発明の別の実施例になる設置用台足装置を示す図である。
【図７】図６の設置用台足装置の分解斜視図である。
【符号の説明】
２０  ラック
３０  床面
５０、５０Ａ  設置用台足装置
５１  マット
５２  設置用ねじ部材
５３受け部材
５４中間マット
５５  中間受け部材
５６  脚部材
５７  緩み防止用ナット
７０  受け皿部材
７１  受け皿本体
７２  ボルト
７３  ナット
７４  受け体
【図１】
0004485088.tif 000002
【図２】
0004485088.tif 000003
【図３】
0004485088.tif 000004
【図４】
0004485088.tif 000005
【図５】
0004485088.tif 000006
【図６】
0004485088.tif 000007
【図７】
0004485088.tif 000008